(57)【要約】【課題】  ケーブル架設における作業効率の向上及びコスト低減を図る。【解決手段】  電柱Ｐ１、Ｐ３間に吊線３を架設し、長手方向に所定間隔を置いて配置される掛止部付結束バンド１によって複数本のケーブルが一束化された一束化ケーブルと、吊線３に沿って移動自在とするローラ部２０１と結束バンド１の掛止部と係合するフック部２０３とを備える金車２とを準備し、一束化ケーブルを吊線３に沿って電柱Ｐ１から電柱Ｐ３へ延線する際に、当該電柱Ｐ１において、金車２のフック部２０３に結束バンド１の掛止部を掛止するとともに、吊線３に金車２のローラ部２０１を吊り下げつつ、一束化ケーブルを延線する。【選択図】  図１
2005184935.tif 000002
【特許請求の範囲】
【請求項１】
電柱間に吊線を架設し、長手方向に所定間隔を置いて配置される掛止部付結束バンドによって複数本のケーブルが一束化された一束化ケーブルと、吊線に沿って移動自在とするローラ部と前記結束バンドの掛止部と係合するフック部とを備える金車とを準備し、前記一束化ケーブルを吊線に沿って一方の電柱から他方の電柱へ延線する際に、当該一方の電柱において、金車のフック部に結束バンドの掛止部を掛止するとともに、吊線に金車のローラ部を吊り下げつつ、一束化ケーブルを延線することを特徴とするケーブル架設工法。
【請求項２】
前記複数本のケーブルの一束化は、前記結束バンドの一端側をケーブル間に挟み込んだ状態で、当該結束バンドを前記複数本のケーブルからなるケーブル束に巻き付けて締着することによる一束化であることを特徴とする請求項１記載のケーブル架設工法。
【請求項３】
前記一束化ケーブルを、予め前記複数の結束バンドが取り付けられた状態で所定のドラムに巻き付けておき、ケーブル架設を行うにあたり、前記ドラムから当該一束化ケーブルを繰り出して延線することを特徴とする請求項１又は２記載のケーブル架設工法。
【請求項４】
結束バンドとして、ケーブル束に巻装された状態において相対的な位置となる少なくとも２つの吊輪を前記掛止部に備えているものを用いることを特徴とする請求項１〜３のいずれかに記載のケーブル架設工法。
【請求項５】
前記吊輪は、それぞれ吊架時における吊架長さが異なる２つの吊輪とし、架設すべき一束化ケーブルの所要地上高に応じていずれかの吊輪を選択し、当該選択された吊輪を金車のフック部に掛止することを特徴とする請求項４記載のケーブル架設工法。
【請求項６】
複数本のケーブルからなるケーブル束に巻き付けることによって当該ケーブル束を締着する結束バンドであって、
前記ケーブル束に巻き付けられる帯状の主巻付部と、
前記ケーブル束に巻き付けられた状態の主巻付部に対してさらに巻き付けるべく当該主巻付部の一端側に設けられた帯状の補助巻付部と、
主巻付部及び補助巻付部をケーブル束に巻き付けた後、当該巻装状態を脱着可能に保持する係合部と、
前記主巻付部に設けられ、主巻付部がケーブル束に巻装された状態において吊架可能とする掛止部とを備えることを特徴とするケーブル架設用の結束バンド。
【請求項７】
前記主巻付部の、ケーブル束への巻き付け始端が、ケーブル間に挟み込まれる巻付始端部とされていることを特徴とする請求項６記載の結束バンド。
【請求項８】
前記補助巻付部は、主巻付部における前記一端側の辺に対する両端側の位置に設けられた２つの帯状体からなるものであり、
前記２つの帯状体は、前記巻装状態の主巻付部における前記両端側の外周面に沿って巻き付けられるものであることを特徴とする請求項６又は７記載の結束バンド。
【請求項９】
前記掛止部は、結束バンドがケーブル束に巻装された状態において相対的な位置となる少なくとも２つの吊輪を備えることを特徴とする請求項６〜８のいずれかに記載の結束バンド。
【請求項１０】
前記吊輪は、２つの吊輪からなり、それぞれ吊架時における吊架長さが異なるものであることを特徴とする請求項９記載の結束バンド。
【請求項１１】
前記吊輪は、変形自在であり、かつ保形性を有するものであることを特徴とする請求項９又は１０記載の結束バンド。
【請求項１２】
前記係合部は、雌雄の面ファスナーからなることを特徴とする請求項６〜１１のいずれかに記載の結束バンド。
【請求項１３】
ケーブル架設を行う場合の吊線に沿って移動するべく２つのローラが直列にローラ支持体に回転自在に軸支されてなるローラ部と、
前記ローラ部に揺動可能に軸支され、当該ローラ部の一側面において上下方向に延在する本体部と、
一端が本体部の下部に固定され、前記ローラ部側に延在する略Ｕ字状のフック部と、
前記フック部の開口部に設けられ、基端が前記フック部における本体部側の位置に揺動可能に軸支されることにより前記開口部の内側に向けて開閉可能に構成され、かつ所定の付勢力によって閉じた状態となる開閉部とを備えることを特徴とするケーブル架設用の金車。
【請求項１４】
前記開閉部が付勢力によって閉じた状態となっている場合に、前記フック部の他端部と前記開閉部とによって谷部が形成されていることを特徴とする請求項１３記載の金車。
【請求項１５】
ケーブル架設用の吊線に取り付けられた金車のフック部に掛止するための掛止部を備えた複数の結束バンドが、複数本のケーブルからなるケーブル束に長手方向に所定間隔で取り付けられてなり、
前記ケーブル束は、結束バンドの巻き付けにより締着一束化されたものであることを特徴とするケーブル架設用のケーブルセット。
【請求項１６】
前記結束バンドによる締着一束化は、結束バンドの巻き付け始端がケーブル間に挟み込まれた状態で、当該結束バンドがケーブル束上に巻き付けられることによる締着一束化であることを特徴とする請求項１５記載のケーブルセット。
【請求項１７】
前記ケーブル束の両端にコネクタが取り付けられていることを特徴とする請求項１５又は１６記載のケーブルセット。
【請求項１８】
前記締着一束化されたケーブル束が所定のドラムに巻き付けられてなることを特徴とする請求項１５〜１７のいずれかに記載のケーブルセット。
【発明の詳細な説明】
【技術分野】
【０００１】
本発明は、電柱間にケーブルを架設する際のケーブルの架設工法、並びにそれに用いる結束バンド、金車及びケーブルセットに関するものである。
【背景技術】
【０００２】
従来、例えば、送配電線工事を行う際の作業停電を回避又は極小化するべく仮設設備を設け、電力供給ルートを一時的に切り替える所謂バイパス工法による工事を行う場合において、電柱間にケーブル（バイパスケーブル）を架設する工法として、図８に示すような工法が採用されている。すなわち、まず図８（ａ）において、複数の（ここでは３本）の電柱８１〜８３における両端の電柱８１、８３の所定の高さ位置にバンド（吊線バンド）８４ａを、中間の電柱８２の同高さ位置にサポート金具８４ｂを取り付けた後、吊線（例えばメッセンジャーワイヤ）８５を張設し、この吊線８５の両端にある電柱８１、８３に導入ローラ８６を設置する。そして、複数の金車（移動金車又は吊り金車）８７を当該吊線８５の片側（例えば電柱８１側）に吊り下げ、これら各金車８７を所定長の連結ロープ９５（図９参照）によって連結するとともに、ケーブル束８８に対する引線（延線ロープ又は牽引ロープ）８９を取り付ける。
【０００３】
次に、図８（ｂ）において、ドラム９０からそれぞれケーブルを繰り出して集合させたケーブル束８８（この場合、ケーブル束８８は３本のケーブルが集合されてなる）を、金車８７が吊り下げられている位置まで持ち上げ、図１０に示すように、各金車８７内にケーブル束８８を収める、すなわち、各金車８７のフレーム９６を開閉して当該フレーム９６とローラ９７とからなる空間部（リング部）に３本のケーブル束８８を通す。そして、ケーブル束８８の各ケーブル端部に設けられたコネクタ９１と当該ケーブル束８８の先端部（先頭）にある金車８７とを所定のロープ９２を用いて連結する。図８（ｃ）において、引線８９によって、電柱８１側にあるケーブル束８８を金車８７とともに電柱８３側へ引き寄せ（各金車８７は、連結ロープ９５により、略等間隔となって引っ張られる方に順に移動していく）、図８（ｄ）において、連結ロープ９５及びケーブル束８８を各電柱に固定することによって電柱８１、８３間にケーブル束８８を架設する。なお、この後、ケーブル束８８の両端のコネクタ９１それぞれを仮設開閉器（図略）あるいは中間接続筒（図略）等を介して、バイパス区間の両端部において本線とその一端が接続された各高圧バイパスケーブル用リード線（図略）等と接続し、当該本線のバイパス区間をホットプラー部（図略）等によって切り離して停電させる。このように、電柱間に吊線を張り、その吊線に金車を吊り下げ、各金車が連結ロープで連結された状態でケーブルが架設（延線）されるといった工法は、例えば特許文献１に示されている。
【０００４】
なお、本線の工事が終了し、図８（ｄ）に示す架設した状態からケーブル束８８を撤去する場合には、上記図８（ｃ）、（ｂ）、（ａ）の順に作業を行う。その際、ケーブル束８８の各ケーブルは、それぞれに対応するドラム９０によって巻き取られる。
【特許文献１】特開２０００−１０２１２４号公報
【発明の開示】
【発明が解決しようとする課題】
【０００５】
しかしながら、上記従来技術では、ケーブル架設作業において当該ケーブルを全ての金車内に収めるのに手間がかかってしまい、また、架設したケーブルの撤去時においても、全ての金車からケーブルを外す作業に手間がかかってしまっていた。しかも、送電線工事の都度、同じように金車へのケーブルの脱着作業を繰り返し行わなければならなかった。
【０００６】
また、作業中に各金車間の連結ロープが絡まったり、金車内に通された各ケーブルの位置が互いにずれてしまう（例えばケーブルが引き線によって引かれる際、３本のケーブルのうちの１本のケーブルが他のケーブルに対して滑って引き出されてしまう）ことがあり、よって、当該連結ロープが絡まった状態から元の絡まっていない状態に戻したり、互いに位置がずれたケーブルを揃えたりするといった無駄な時間を要することになる。
【０００７】
さらに、ケーブルの撤収時におけるケーブルの巻き取りを行う際、各ドラムに対して少なくとも１人の作業者が必要となり、ひいては人件費が嵩むといった問題があった。
【０００８】
本発明は上記問題に鑑みてなされたもので、上記金車へのケーブルの脱着作業、あるいは作業中の連結ロープの絡みやケーブルのずれを元の状態に戻すといった作業を行うことなく、作業効率の向上、ひいては、当該作業効率の向上あるいは人員削減等によるコスト低減を図ることのできるケーブル架設工法、並びにそれに用いる結束バンド、金車及びケーブルセットを提供することを目的とする。
【課題を解決するための手段】
【０００９】
請求項１記載の発明は、電柱間に吊線を架設し、長手方向に所定間隔を置いて配置される掛止部付結束バンドによって複数本のケーブルが一束化された一束化ケーブルと、吊線に沿って移動自在とするローラ部と前記結束バンドの掛止部と係合するフック部とを備える金車とを準備し、前記一束化ケーブルを吊線に沿って一方の電柱から他方の電柱へ延線する際に、当該一方の電柱において、金車のフック部に結束バンドの掛止部を掛止するとともに、吊線に金車のローラ部を吊り下げつつ、一束化ケーブルを延線することを特徴とするケーブル架設工法である。
【００１０】
請求項２記載の発明は、上記請求項１記載のケーブル架設工法において、前記複数本のケーブルの一束化は、前記結束バンドの一端側をケーブル間に挟み込んだ状態で、当該結束バンドを前記複数本のケーブルからなるケーブル束に巻き付けて締着することによる一束化であることを特徴とする。
【００１１】
請求項３記載の発明は、上記請求項１又は２記載のケーブル架設工法において、前記一束化ケーブルを、予め前記複数の結束バンドが取り付けられた状態で所定のドラムに巻き付けておき、ケーブル架設を行うにあたり、前記ドラムから当該一束化ケーブルを繰り出して延線することを特徴とする。
【００１２】
請求項４記載の発明は、上記請求項１〜３のいずれかに記載のケーブル架設工法において、結束バンドとして、ケーブル束に巻装された状態において相対的な位置となる少なくとも２つの吊輪を前記掛止部に備えているものを用いることを特徴とする。
【００１３】
請求項５記載の発明は、上記請求項４記載のケーブル架設工法において、前記吊輪は、それぞれ吊架時における吊架長さが異なる２つの吊輪とし、架設すべき一束化ケーブルの所要地上高に応じていずれかの吊輪を選択し、当該選択された吊輪を金車のフック部に掛止することを特徴とする。
【００１４】
請求項６記載の発明は、複数本のケーブルからなるケーブル束に巻き付けることによって当該ケーブル束を締着する結束バンドであって、前記ケーブル束に巻き付けられる帯状の主巻付部と、前記ケーブル束に巻き付けられた状態の主巻付部に対してさらに巻き付けるべく当該主巻付部の一端側に設けられた帯状の補助巻付部と、主巻付部及び補助巻付部をケーブル束に巻き付けた後、当該巻装状態を脱着可能に保持する係合部と、前記主巻付部に設けられ、主巻付部がケーブル束に巻装された状態において吊架可能とする掛止部とを備えることを特徴とするケーブル架設用の結束バンドである。
【００１５】
請求項７記載の発明は、上記請求項６記載の結束バンドにおいて、前記主巻付部の、ケーブル束への巻き付け始端が、ケーブル間に挟み込まれる巻付始端部とされていることを特徴とする。
【００１６】
請求項８記載の発明は、上記請求項６又は７記載の結束バンドにおいて、前記補助巻付部は、主巻付部における前記一端側の辺に対する両端側の位置に設けられた２つの帯状体からなるものであり、前記２つの帯状体は、前記巻装状態の主巻付部における前記両端側の外周面に沿って巻き付けられるものであることを特徴とする。
【００１７】
請求項９記載の発明は、上記請求項６〜８のいずれかに記載の結束バンドにおいて、前記掛止部は、結束バンドがケーブル束に巻装された状態において相対的な位置となる少なくとも２つの吊輪を備えることを特徴とする。
【００１８】
請求項１０記載の発明は、上記請求項９記載の結束バンドにおいて、前記吊輪は、２つの吊輪からなり、それぞれ吊架時における吊架長さが異なるものであることを特徴とする。
【００１９】
請求項１１記載の発明は、上記請求項９又は１０記載の結束バンドにおいて、前記吊輪は、変形自在であり、かつ保形性を有するものであることを特徴とする。
【００２０】
請求項１２記載の発明は、上記請求項６〜１１のいずれかに記載の結束バンドにおいて、前記係合部は、雌雄の面ファスナーからなることを特徴とする。
【００２１】
請求項１３記載の発明は、ケーブル架設を行う場合の吊線に沿って移動するべく２つのローラが直列にローラ支持体に回転自在に軸支されてなるローラ部と、前記ローラ部に揺動可能に軸支され、当該ローラ部の一側面において上下方向に延在する本体部と、一端が本体部の下部に固定され、前記ローラ部側に延在する略Ｕ字状のフック部と、前記フック部の開口部に設けられ、基端が前記フック部における本体部側の位置に揺動可能に軸支されることにより前記開口部の内側に向けて開閉可能に構成され、かつ所定の付勢力によって閉じた状態となる開閉部とを備えることを特徴とするケーブル架設用の金車である。
【００２２】
請求項１４記載の発明は、上記請求項１３記載の金車において、前記開閉部が付勢力によって閉じた状態となっている場合に、前記フック部の他端部と前記開閉部とによって谷部が形成されていることを特徴とする。
【００２３】
請求項１５記載の発明は、ケーブル架設用の吊線に取り付けられた金車のフック部に掛止するための掛止部を備えた複数の結束バンドが、複数本のケーブルからなるケーブル束に長手方向に所定間隔で取り付けられてなり、前記ケーブル束は、結束バンドの巻き付けにより締着一束化されたものであることを特徴とするケーブル架設用のケーブルセットである。
【００２４】
請求項１６記載の発明は、上記請求項１５記載のケーブルセットにおいて、前記結束バ
ンドによる締着一束化は、結束バンドの巻き付け始端がケーブル間に挟み込まれた状態で、当該結束バンドがケーブル束上に巻き付けられることによる締着一束化であることを特徴とする。
【００２５】
請求項１７記載の発明は、上記請求項１５又は１６記載のケーブルセットにおいて、前記ケーブル束の両端にコネクタが取り付けられていることを特徴とする。
【００２６】
請求項１８記載の発明は、上記請求項１５〜１７のいずれかに記載のケーブルセットにおいて、前記締着一束化されたケーブル束が所定のドラムに巻き付けられてなることを特徴とする。
【発明の効果】
【００２７】
請求項１記載の発明によれば、電柱間に吊線が架設され、長手方向に所定間隔を置いて配置される掛止部付結束バンドによって複数本のケーブルが一束化された一束化ケーブルと、吊線に沿って移動自在とするローラ部と結束バンドの掛止部と係合するフック部とを備える金車とが準備され、一束化ケーブルを吊線に沿って一方の電柱から他方の電柱へ延線する際に、当該一方の電柱において、金車のフック部に結束バンドの掛止部が掛止されるとともに、吊線に金車のローラ部が吊り下げられつつ、一束化ケーブルが延線される。
【００２８】
このように、複数本のケーブルを金車内に収めるといった作業を行うことなく、ケーブルが一束化された状態で金車のフック部に結束バンドの掛止部を掛止し、かつ当該金車のローラ部を吊線に吊り下げつつ延線することができるため、ケーブル架設時の作業効率を向上することができる。また、一束化ケーブルが引っ張られると金車も同時に引っ張られて移動する構成であるため、金車間を連結する連結ロープ等が不要となり、当該連結ロープ等を接続するなどの手間が省けることによる作業効率の向上、ひいてはコスト低減を図ることができる。
【００２９】
請求項２記載の発明によれば、結束バンドの一端側がケーブル間に挟み込まれた状態で、当該結束バンドが複数本からなるケーブル束に巻き付けられて締着されることによりケーブルが一束化される。よって、結束バンドをケーブル束に対して確実に固定することができる。
【００３０】
請求項３記載の発明によれば、ケーブル架設時において、複数の結束バンドが取り付けられた状態で所定のドラムに巻き付けられた一束化ケーブルが、当該ドラムから繰り出されつつ、金車のフック部に結束バンドの掛止部が掛止される。このように、結束バンドが取り付けられた状態で一束化ケーブルをドラムに巻き付けておき、ケーブル架設時において、一束化ケーブルをそのままドラムから繰り出して使用することで、現場でケーブルに結束バンドを取り付けて一束化ケーブルにする手間を省くことができ、あるいは、ケーブル撤去時において、ケーブル束から結束バンドを取り外す手間を省くことができ、ひいては作業効率を向上することができる。
【００３１】
請求項４記載の発明によれば、結束バンドがケーブル束に巻装された状態において相対的な位置となる少なくとも２つの吊輪が掛止部に備えられている。このように、結束バンドの掛止部に少なくとも２つの吊輪（複数の吊輪）が設けられているため、結束バンド（ケーブル束）の金車への掛け易さ、すなわち、取付作業性を向上することができる。
【００３２】
請求項５記載の発明によれば、一束化ケーブルを電柱間に延線する場合の当該一束化ケーブルの所要地上高に応じ、結束バンド毎に、吊架時の長さが異なる２つの吊輪のうちのいずれかが選択され、当該選択された吊輪が金車のフック部に掛止される。よって、長さの異なる２種類の吊輪を選択的に使用することができ、必要に応じて一束化ケーブルの地上高を変えることができることから、当該一束化ケーブルの所要地上高を適宜確保できるようになる。
【００３３】
請求項６記載の発明によれば、結束バンドには、ケーブル束に巻き付けられる帯状の主巻付部と、ケーブル束に巻き付けられた状態の主巻付部に対してさらに巻き付けるべく当該主巻付部の一端側に設けられた帯状の補助巻付部と、主巻付部及び補助巻付部をケーブル束に巻き付けた後、当該巻装状態を脱着可能に保持する係合部と、主巻付部に設けられ、主巻付部がケーブル束に巻装された状態において吊架可能とする掛止部とが備えられている。
【００３４】
このように、主巻付部、補助巻付部によりケーブル束に巻き付けられ、係合部によって巻装状態が脱着可能に保持される構成であるため、ケーブル束に対する結束バンドの取り付け作業を容易に行うことができ、また、ケーブル束に取り付けられた結束バンドの掛止部を単に掛止することによって当該ケーブル束を吊架できるため、ケーブル架設時の作業効率を向上することができる。また、巻装状態の主巻付部に対して補助巻付部をさらに巻き付けて取り付ける構成であるため、結束バンドをケーブル束に確実に固定することができる。さらに、係合部によって脱着可能に保持される構成であるため、別のケーブル束に対して当該結束バンドを使い回しすることができ、ケーブル架設に要する付属品のコスト低減を図ることができる。
【００３５】
請求項７記載の発明によれば、主巻付部の、ケーブル束への巻き付け始端が、ケーブル
間に挟み込まれる巻付始端部とされているため、すなわち、主巻付部がケーブル束に巻き付けられるときに当該主巻付部の巻付始端部がケーブル間に挟み込まれるため、結束バンドをケーブル束に対してより確実に固定することができる。
【００３６】
請求項８記載の発明によれば、２つの帯状体が巻装状態の主巻付部における両端側の外
周面に沿って巻き付けられるため、結束バンドが、巻き付け方向に回転したりケーブル束の長手方向に移動したりするといったことを防止でき、よって、結束バンドをケーブル束により確実に固定することができる。
【００３７】
請求項９記載の発明によれば、掛止部には、結束バンドがケーブル束に巻装された状態において相対的な位置となる少なくとも２つの吊輪が備えられているため、結束バンドの金車への取付作業性を向上することができる。
【００３８】
請求項１０記載の発明によれば、２つの吊輪は、それぞれ吊架時において吊架長さが異なるものであるため、これら長さの異なる２種類の吊輪を選択的に使用することができ、必要に応じてケーブル束の地上高を変えることができる。
【００３９】
請求項１１記載の発明によれば、吊輪は、変形自在であり、かつ保形性を有するものであるため、結束バンドをケーブル束に取り付けた状態でドラムに巻き付けることが容易となる（結束バンドが取り付けられたケーブル束のドラムによる巻取性が向上する）。
【００４０】
請求項１２記載の発明によれば、係合部は、雌雄の面ファスナーからなるため、主巻付部及び補助巻付部の巻装時の脱着を容易に行うことができる。
【００４１】
請求項１３記載の発明によれば、金車には、ケーブル架設を行う場合の吊線に沿って移動するべく２つのローラが直列にローラ支持体に回転自在に軸支されてなるローラ部と、ローラ部に揺動可能に軸支され、当該ローラ部の一側面において上下方向に延在する本体部と、一端が本体部の下部に固定され、ローラ部側に延在する略Ｕ字状のフック部と、フック部の開口部に設けられ、基端が前記フック部における本体部側の位置に揺動可能に軸支されることにより開口部の内側に向けて開閉可能に構成され、かつ所定の付勢力によって閉じた状態となる開閉部とが備えられている。
【００４２】
このように、本体部がローラ部に揺動可能に設けられていること、及びローラ部が直列に２つのローラを備えることにより、金車が吊線に沿って安定して移動することができ、また、フック部が本体部に固定されているため、当該フック部への掛止を容易に行うことができ、ひいてはケーブル架設時の作業効率を向上することができる。さらに、フック部
に開閉部が設けられているため、フック部に掛止されたもの（例えば吊輪）が外れること
を（フック外れを）確実に防止することができるとともに、吊線からローラ（ローラ部）が外れた（脱輪した）場合における金車の落下を防止することができる。
【００４３】
請求項１４記載の発明によれば、開閉部が付勢力によって閉じた状態となっている場合に、フック部の他端部と開閉部とによって谷部が形成されているため、フック部に掛止する際に当該谷部に掛止するもの（例えば吊輪）を置くと、掛止するものの自重によって開閉部が自動的に開き、当該掛止されるものがフック部に嵌り込んで掛止されるといった掛止方法をとることができるため、ひいてはケーブル架設時の作業効率を向上することができる。
【００４４】
請求項１５記載の発明によれば、ケーブルセットは、ケーブル架設を行う場合の吊線に取り付けられた金車のフック部に掛止するための掛止部を備えた複数の結束バンドが、複数本のケーブルからなるケーブル束に長手方向に所定間隔で取り付けられており、結束バンドによって巻き付けられてケーブル束が締着一束化されたものであるため、このケーブルセットを用いれば、例えばケーブル架設現場において、金車に吊架するためのケーブルの準備作業が簡略化され、また、吊線にケーブルを吊架する際に、金車に対して結束バンドの掛止部を単に掛止することにより当該ケーブル束（ケーブルセット）を吊架することができるため、ひいてはケーブル架設における作業効率を向上することができる。また、このケーブルセットを別のケーブル架設工事においても使い回しすることができ、ケーブル架設に要する付属部品のコスト低減を図ることができる。
【００４５】
請求項１６記載の発明によれば、ケーブルセットは、結束バンドの巻き付け始端がケーブル間に挟み込まれた状態で、当該結束バンドがケーブル束上に巻き付けられることにより締着一束化されているため、ケーブル束に対して結束バンドをより確実に固定することができる。
【００４６】
請求項１７記載の発明によれば、ケーブル束の両端にコネクタが取り付けられているため、線路接続が容易となる。
【００４７】
請求項１８記載の発明によれば、ケーブルセットは、結束バンドによって締着一束化されたケーブル束が所定のドラムに巻き付けられてなるものであるため、（３本の）ケーブルを巻き付けておくためのドラムが１つで済み、当該ケーブルセットの運搬が容易となり、かつドラムからのケーブルセットの繰り出しが容易に行えるようになる。
【発明を実施するための最良の形態】
【００４８】
以下、本発明に係る一実施の形態について図面を参照しながら説明する。
図１は、本発明に係るケーブル架設工法の一例を示す概略図である。図１（ａ）において、複数の電柱（ここでは、３本の電柱Ｐ１〜Ｐ３）間に、ロープ等の吊線３を架設する。吊線３を架設する場合、当該吊線３の一端部を掴むための掴線装置２１、吊線３に所定の張力を持たせるための張線装置２２、及び電柱間において吊線３を支持するためのサポート金具２３等を用いて吊線３を固定する。そして、両端の電柱Ｐ１、Ｐ３にケーブルを導入するための導入ローラ２４を設置する。
【００４９】
次に、図１（ｂ）において、長手方向に所定間隔を置いて配置される掛止部付の結束バンド１によって複数本（ここでは３本）のケーブル（ケーブル束４）が一束化された一束化ケーブルと、吊線３に沿って移動自在とするローラ部２０１と結束バンド１の掛止部と係合するフック部２０３とを備える複数の金車２とを準備する。この際、一束化ケーブルは、ドラム６に巻き付けられた状態でケーブル架設作業現場に搬入されてくる。また、電柱間において一束化ケーブルを牽引するためのロープ等の引線７を準備する。この引線７は、本線との接続を行うためのケーブル束４の端部に取り付けられたコネクタ５に接続される。
【００５０】
ところで、結束バンド１をケーブル束４に取り付ける場合、結束バンド１の一端側がケーブル間に挟み込まれた状態（ケーブル束４を構成するケーブルは軽く撚られており、当該ケーブルの撚り溝間に挟まれた状態）でケーブル束４に巻き付けられて当該ケーブル束４が締着され、これにより、ケーブル束４に対して結束バンド１がずれないように確実に固定されている。
【００５１】
また、結束バンド１の掛止部は、当該結束バンド１がケーブル束に巻装された状態において相対的な位置となる少なくとも２つの吊輪を備えている。このように１つの結束バンド１に対して吊輪が複数設けられていることにより、一束化ケーブルの金車２への取り付け（結束バンド１における掛止部の金車２のフック部２０３への掛止）作業の効率（取付作業性）が向上する。さらに、これら吊輪は、それぞれ吊架時において長さ（吊架長さ）が異なるものとなっているため、金車２に掛止する際に、必要なケーブル束４の地上からの高さ（地上高）に対応させて当該２種類の吊輪を選択的に使用することができる。例えば、地上高を高くとる必要がある場合には、吊架時における長さが短い吊輪を金車２のフック部２０３に掛止し、特に地上高を考慮する必要がない場合には、いずれかの吊輪を任意に用いて（フック部２０３に掛止し易い側にある吊輪を用いて）掛止する。
【００５２】
なお、上述のようにケーブル束４の長手方向に所定間隔を置いて掛止部付の結束バンド１が取り付けられ、かつケーブル束４の両端部（ケーブル束４の各ケーブルの両端部）に
コネクタ５が設けられた上記一束化ケーブルのことをケーブルセット（ケーブルセット１
０）という。
【００５３】
図１（ｃ）において、ケーブルセット１０を吊線３に沿って電柱Ｐ１から電柱Ｐ３へ延線する。この際、ドラム６からケーブルセット１０を繰り出しながら導入ローラ２４を介して、電柱Ｐ１において、ケーブルセット１０の先頭（延線時の進行方向の先頭）側から順に、金車２のフック部２０３に結束バンド１の掛止部を掛止するとともに、吊線３に金車２のローラ部２０１を吊り下げつつ延線する。具体的には、作業員が電柱Ｐ１上へ昇り、導入ローラ２４を経由して延線されてくるケーブルセット１０の傍らに待機し、順次通過してゆく結束バンド１の掛止部に金車２のフック部２０３を引っ掛け、さらに、ローラ部２０１を吊線３に載置する態様で、延線が行われる。この場合、電柱Ｐ３側から、引線７によってケーブルセット１０を牽引することで上記延線が行われ、かかるケーブルセット１０の延線により、結束バンド１に掛止結合された金車２も、各結束バンド１の掛止部にて牽引される形で、吊線３上を電柱Ｐ３に向けて進行する。
【００５４】
そして、図１（ｄ）において、ケーブルセット１０の先頭側が電柱Ｐ３に到達し、電柱Ｐ１、Ｐ３間にケーブルセット１０が掛け渡される。その後、この掛け渡されたケーブルセット１０を本線に接続するべく、ケーブルセット１０の両端のコネクタ５を、例えば、電柱等に取り付けられた仮設開閉器（図略）あるいは中間接続筒（図略）等を介して、バイパス区間の両端部においてそれぞれ一端が本線と接続された各高圧バイパスケーブル用リード線（図略）等と接続する。ただし、符号３１、３２に示すように、ケーブルセット１０の先頭側又は末尾側に取り付けられている結束バンド１は、電柱Ｐ１、Ｐ３間における金車２によるケーブルセット１０の吊架に使用されなくてもよい。この場合、ケーブルセット１０の先頭側の金車２は、電柱Ｐ３に到達したときに、結束バンド１及び吊線３から取り外されてもよいし、あるいはフック部２０３を吊線３に引っ掛けた状態で（吊線３上を金車２がローラ２０５によって移動しないような状態で）吊線３に吊架しておいてもよい。
【００５５】
なお、上述のように、ケーブルセット１０（ケーブル束４の各ケーブル）の両端部にはコネクタ５が取り付けられているが、このようにコネクタ５を備えることにより、線路接続（例えばバイパスの際の上記仮設開閉器や中間接続筒を介しての高圧バイパスケーブル用リード線への接続）が容易に行えるようになる。
【００５６】
また、ケーブルセット１０は、ドラム６に巻き付けられた状態となっているため、（３本の）ケーブルを巻き付けておくためのドラムが１つで済み、当該ケーブルセット１０の運搬（持ち運び）が容易になるとともに、図１（ｂ）に示す場合のように、ドラムからのケーブルセット１０の繰り出し作業を容易に行うことができる。
【００５７】
また、ケーブル架設後、本線の工事が終了し、当該架設した状態からケーブルを撤去する場合には、ケーブルセット１０を本線から切り離し（コネクタ５を上記仮設開閉器や中間接続筒から外すことによって高圧バイパスケーブル用リード線と切り離し）、その後、金車２のフック部２０３から結束バンド１の掛止部を外すとともに、金車２を吊線３から取り外しつつドラム６によって当該ケーブルセット１０を一端から巻き取っていく。この際、一束化されたケーブルセット１０のままの状態で、すなわち、ケーブルセット１０から各結束バンド１を取り外して各ケーブルに分離させることなく、当該ケーブルセット１０をドラム６に巻き付けることができるため、上記分離された各ケーブル用のドラム６を用意する必要がなく、１つのドラム６によって巻き取ることができる。これにより、巻き取り時（ケーブル撤去時）において、ドラム毎に要していた作業員の数を減らすことができ（ここでは、３人から１人にすることができる）、これに応じて作業員の全体人数を減らすことができ、ひいてはコスト低減（工費節減）を図ることができる。
【００５８】
また、ドラム６には、（３本のケーブルからなる）ケーブルセット１０が巻き付けられて総重量が大きくなる（重たくなる）ことから、重量低減を図るべく当該ドラム６は例えば樹脂製であることが好ましい。ドラム６が樹脂製であることは、騒音防止あるいはコスト的な観点からも好ましい。また、ドラム６は、つば径及び巻き幅が、所定長のケーブルセット１０を巻き付けるのに十分な大きさを有したものとなっている。
【００５９】
図２、３は、本発明に係る結束バンドの一例を示すものである。図２（ａ）は、結束バンドの構成を示す表面側平面図、図２（ｂ）は、同・裏面側平面図、図３は、同・側面断面図を示している。図２、３に示すように、結束バンド１は、上面視略帯状をしており、複数本のケーブルからなるケーブル束４に巻き付けることによって当該ケーブル束４を締着するものである。なお、結束バンド１をケーブル束４に巻装した場合に、外面となる側を結束バンド１の表面、内面となる側を裏面としている。
【００６０】
結束バンド１は、主巻付部１０１、補助巻付部１０２、係合部１０３及び掛止部１０４を備えている。主巻付部１０１（ベルト本体）は、結束バンド１の所謂本体部であり、後述する補助巻付部１０２によって巻き付ける前段階においてケーブル束４に巻き付けられる帯状のものである。
【００６１】
補助巻付部１０２は、ケーブル束４に巻き付けられた状態（巻装状態）の主巻付部１０１に対してさらに上巻き付けするべく当該主巻付部１０１の端部Ｅ１側に設けられたものであり、主巻付部１０１における上記一端側の辺に対する両端側の位置（端部Ｅ１における掛止部１０４を挟んだ両端部の位置）に設けられた２つの帯（細帯）状体からなるものである。
【００６２】
係合部１０３は、巻装状態の主巻付部１０１及び補助巻付部１０２を脱着可能に保持するためのものであり、ナイロン等の素材からなる可撓性を有する、例えばマジックテープ（登録商標）等の所謂面ファスナーからなる。係合部１０３は、雄（オス）面ファスナー１０７、１０８と、雌（メス）面ファスナー１０９、１１０とからなり、これら雌雄の面ファスナーによって結束バンド１がケーブル束に脱着可能に巻装される。
【００６３】
雌雄の面ファスナーは、それぞれ結束バンド１の裏表面において当該脱着可能となる位置に設けられている。例えば、雄面ファスナー１０７、１０８は、図２（ｂ）に示すように結束バンド１における例えば裏面に設けられており、雄面ファスナー１０７は、補助巻付部１０２の先端部（補助巻付部１０２における端部Ｅ１と反対側の端部）に、例えば当該補助巻付部１０２の帯幅で設けられ、雄面ファスナー１０８は、主巻付部１０１における、掛止部１０４が設けられている側の中央部Ｃ１から端部Ｅ１に亘る例えば全面に設けられている。雌面ファスナー１０９、１１０は、図２（ａ）に示すように結束バンド１の例えば表面に設けられており、雌面ファスナー１０９は、補助巻付部１０２の基端部（補助巻付部１０２における上記先端部と反対側の端部）に、当該補助巻付部１０２の例えば帯幅で設けられ、雌面ファスナー１１０は、主巻付部１０１における、掛止部１０４が設けられていない側の中央部Ｃ１から端部Ｅ２に亘る例えば全面に設けられている。
【００６４】
掛止部１０４は、主巻付部１０１がケーブル束４に巻装された状態において吊架可能とするもの、すなわち、後述する金車２のフック部２０３に掛止するためのものである。掛止部１０４は、主巻付部１０１の表面側における補助巻付部１０２寄りの略中央部（主巻付部１０１の幅方向の略中央位置）に設けられており、帯状の紐体が環状にされてなる２つの吊輪１０５、１０６（吊りベルト）を備えている。掛止部１０４は、結束バンド１がケーブル束に巻装された状態においてこの２つの吊輪１０５、１０６がそれぞれ相対的な位置となるように主巻付部１０１に設けられている。
【００６５】
上記吊輪１０５、１０６は、それぞれ長さ（サイズ）が異なる、すなわち、それぞれ吊架時における長さ（吊り下げ長さ）が異なるものとなっている。ここでは、例えば吊輪１０５は吊輪１０６よりも長くなっており、吊輪１０６よりも吊輪１０５を用いた方が吊架時の長さが大きくなる構成となっている。
【００６６】
吊輪１０５、１０６の付け根近傍の内面（裏面）側には、補強部１１１が設けられている。補強部１１１における吊輪１０５、１０６と反対側の端部側は主巻付部１０１に取り付けられており、この補強部１１１によって、掛止部１０４（吊輪１０５、１０６）が主巻付部１０１に対してより確実に固定されるように（掛止部１０４が主巻付部１０１から取れないように）補強される。
【００６７】
なお、主巻付部１０１、補助巻付部１０２及び掛止部１０４は、ナイロン等の素材からなる可撓性を有した（ただし、伸縮性は無い（又は僅か））織布からなっている。
【００６８】
また、補助巻付部１０２は主巻付部１０１に、各面ファスナーは主巻付部１０１又は補助巻付部１０２に、掛止部１０４は主巻付部１０１にそれぞれ縫着されることによって接合されている。ただし、当該縫着ではなく、例えば接着剤等によって接合されたり、あるいは熱によって溶着されることによって接合されていてもよい。また、結束バンド１は、主巻付部１０１や補助巻付部１０２といった各部が接合されてなるものでなくともよく、例えば各部が一体に形成されたものであってもよい。
【００６９】
また、吊輪１０５、１０６は、変形自在であり、かつ保形性を有するもの、すなわち、ドラム６への巻き付け時に、ケーブルに押圧された場合に自在に変形し（これにより上記ケーブルセット１０のドラム６による巻取性が向上する）、この押圧力が解けると直ちに元の状態に復帰するものであることが好ましい。また、吊輪１０５、１０６は、上記保形性により、輪の方向が結束バンド１の巻き方向（巻回方向）に配向されていることが好ましい。
【００７０】
ここで、結束バンド１のケーブル束４への巻き付けについて説明する。
図６は、結束バンド１のケーブル束４への巻き付け状態の一例を概略的に示す図であり、（ａ）は、同・正面図、（ｂ）は同・側面断面図を示している。図６に示すように、複数本からなるケーブル束４（ここでは、ケーブル６１〜６３の３本からなるケーブル束４）に結束バンド１を巻き付ける際、主巻付部１０１における巻付始端部（上記図２、３に示す端部Ｅ２、及び主巻付部１０１における端部Ｅ２側の所定部位）を、符号６４に示すようにケーブル６１、６２間、あるいはケーブル６２、６３間に挟み込んだ状態で巻き付け始める。そして、ケーブル束４に対し、符号Ａに示す矢印方向に、主巻付部１０１、補助巻付部１０２の順に巻き付けていく。この場合、まず主巻付部１０１の表面にある雌面ファスナー１１０に、裏面にある雄面ファスナー１０８が係合するように当該主巻付部１０１を巻装する。次に、補助巻付部１０２の表面にある雌面ファスナー１０９に、裏面の雄面ファスナー１０７が係合するように、当該巻装状態の主巻付部１０１に対してさらに補助巻付部１０２を巻き付ける。この場合、符号６５に示すように、巻装状態の主巻付部１０１（符号６６に示す）に対し、当該主巻付部１０１におけるケーブル束４の長手方向（以降、ケーブル長手方向という）の両端側の外周面に沿って補助巻付部１０２が巻き付けられた状態となる。
【００７１】
ところで、上述のように、結束バンド１による巻き始めに主巻付部１０１の端部をケーブル間に挟み込むことにより、巻き始めにおける巻き付けが容易に行えるようになるとともに、ケーブルと主巻付部１０１との間の摩擦力によって、結束バンド１が巻き付け方向に回転したり、ケーブル長手方向に移動することが防止される。また、ケーブル束４に対する巻装状態の主巻付部１０１の上から更に補助巻付部１０２を巻き付けることによっても、同様に、結束バンド１が巻き付け方向に回転したり、ケーブル長手方向に移動することが防止され、結束バンド１をケーブル束４に、より確実に固定することができるようになる。
【００７２】
また、主巻付部１０１を巻装した後、さらに補助巻付部１０２によって巻装する、すなわち、２段階で巻装する構成であるため、ケーブル束４に対する結束バンド１の巻き付けの調整を容易に行うことができる。さらに、補助巻付部１０２は、主巻付部１０１のケーブル長手方向の両端部に設けられた２つの帯状体からなるため、上記巻き付けの調整を、当該２つの補助巻付部１０２によって別々に行うことができる。
【００７３】
なお、符号６７、６８は、掛止部１０４の吊輪１０５、１０６を示している。このよう
に、吊輪１０５、１０６は、ケーブル束４に巻装された状態において相対的な位置となるように、すなわち、一方の吊輪が上側に位置するときに他方の吊輪は下側に位置するように主巻付部１０１に設けられている。また、吊輪１０５、１０６は、当該吊輪の輪の配向方向が、結束バンド１の巻き方向となるように主巻付部１０１に設けられている。
【００７４】
図４、５は、本発明に係る金車の一例を示すものである。図４は、金車の構成を示す一部断面側面図である。図５（ａ）は、同・一部断面上面図、図５（ｂ）は、同・一部断面正面図を示している。図４、５に示すように、金車２は、側面視略Ｊ字状であり、ケーブル架設時の吊線に移動可能に吊架させるとともに、上記結束バンド１の掛止部（吊輪１０
５又は１０６）を掛止するためのものである。金車２は、ローラ部２０１（吊りローラ）
、本体部２０２（主フレーム）、フック部２０３及び開閉部２０４を備えている。
【００７５】
ローラ部２０１は、金車２を、ケーブル架設を行う場合の吊線に沿って移動させるためのものであり、移動方向に直列に配置された２つのローラ２０５と、当該ローラ２０５を、軸２０６によって回転自在に軸支するローラフレーム２０７とから構成されている。ただし、ローラ２０５には、円弧状の溝（凹部）が形成されており、この溝部に吊線が嵌入される。
【００７６】
本体部２０２は、金車２の所謂本体フレームであり、ボルト・ナットからなる軸２１１によってローラ部２０１に揺動可能に軸支され、当該ローラ部２０１の一側面（側面Ｓ１）において上下方向に延在するものである。本体部２０２は、幅方向の両端部が符号２１２に示すように外側（ローラ部２０１と反対側）に向けて折り曲げられた形状となっており、これにより強度が高められている。
【００７７】
また、本体部２０２の上部は、略コ字状に下向きに折り返されたような形状となっており、本体部２０２は、当該コ字状部がローラ部２０１の上方向から被せられた状態で、コ字状部及びローラフレーム２０７に対して上記軸２１１が嵌挿されてローラ部２０１に軸支されている。なお、本体部２０２は、ローラ部２０１に対し、軸２１１を支点として符号Ｂに示す矢印方向に揺動可能となっている。
【００７８】
フック部２０３は、上記結束バンド１の掛止部１０４等を掛止するための側面視略Ｕ字状となっている所謂フックである。フック部２０３の一端（端部２２１）は、本体部２０２の下部に溶接等の方法によって固定されている。
【００７９】
開閉部２０４は、フック部２０３の開口部２２２（開口部２２２近傍の内側）に設けられ、当該フック部２０３に掛止されたもの（例えば結束バンド１の吊輪１０５又は１０６）が外れないようにするための、すなわち、フック外れを防止するための所謂安全装置である。開閉部２０４は、当該開閉部２０４の基端が、軸２３１によってフック部２０３（フック部２０３における、本体部２０２への固定位置側の略逆Ｕ字状に形成された端部）に揺動可能に軸支されることによって開口部２２２の内側（符号Ｃに示す矢印方向）に向けて開閉可能に取り付けられている。
【００８０】
ただし、開閉部２０４は、当該開閉部２０４の長手方向と垂直な方向の断面形状が略コ字状であり、上記当該コ字における開口部側がフック部２０３の内側に向けられるようにしてフック部２０３に取り付けられている。また、開閉部２０４は、開閉動作を行わない場合、バネ体２３２等による付勢力によって閉じた状態となっており、この閉じた状態において、開閉部２０４の先端は、フック部２０３の先端２２３から所定長さ分だけ内側に入った位置（接点２２４）でフック部２０３と当接している。
【００８１】
ところで、フック部２０３は、上記付勢力によって開閉部２０４が閉じた状態となっている場合に、フック部２０３における先端２２３及び接点２２４間の辺（フック部２０３の先端部付近の内壁部）と、開閉部２０４の背部２３３とによって略Ｖ字状の谷部２４１が形成される。結束バンド１の吊輪１０５又は１０６をフック部２０３に掛止する際、この谷部２４１に吊輪１０５又は１０６が置かれると（開閉部２０４の背部２３３に乗せられると）、ケーブル束及び結束バンド１（ケーブルセット１０）の自重によって、自動的に（開閉部２０４を閉じた状態にする付勢力に打ち勝って）開閉部２０４が開き、吊輪１０５又は１０６がフック部２０３の内側に入る（底部に落ち込む）ことによってフック部２０３に掛止される（後述する図７（ｂ）参照）。なお、吊輪１０５又は１０６がフック部２０３の内側に入った後（掛止された後）、開閉部２０４は再び閉じた状態となる。
【００８２】
また、本体部２０２は、外側（符号２１３に示す向き）に向けて凸状となるように湾曲しており、また、ローラフレーム２０７は、当該ローラフレーム２０７の下辺２０８の高さ位置がローラ２０５の下端部２０９の高さ位置より高くなるように形成（設置）されている。これらによって、ケーブル架設作業において、金車２が吊線に沿ってスムーズに移動できるようになる、すなわち、金車２が吊線に沿って移動する際の障害物（例えば電柱Ｐ２等に取り付けられたサポート金具２３）に当接するのを防止できる。
【００８３】
なお、金車２は、ローラ部２０１、本体部２０２、フック部２０３及び開閉部２０４の各部が接合されたものとなっているが、それに限らず、例えば本体部２０２とフック部２０３、本体部２０２とローラ部２０１（ローラフレーム２０７）、あるいはローラ部２０
１（ローラフレーム２０７）と本体部２０２とフック部２０３とが一体に形成されてなる
ものであってもよい。
【００８４】
また、金車２は、ケーブル架設時の作業性あるいは地上高を考慮して、コンパクト化（例えば、金車２の全高（金車２の長手方向の全長）は例えば約２３０ｍｍ）が図られたものであってもよく、この結果、総重量が低減されたものとなっていてもよい。
【００８５】
ここで、図７（ａ）、（ｂ）に、金車２によって結束バンド１が吊架された状態の一例を示す。（ａ）は、同・正面図、（ｂ）は、同・側面断面図を示している。図７に示すように、ケーブル架設時には、金車２のフック部２０３に、ケーブル束４に巻装された状態の結束バンド１の掛止部１０４（吊輪１０５又は１０６）が掛止されるとともに、電柱間に架線された吊線３上に、ローラ部２０１（ローラ２０５）が掛止されることによって金車２が吊架される。この場合、吊線３に吊架される各金車２間の距離は、ケーブル束４に対する結束バンド１の取り付け間隔（例えば約３ｍ）に対応している。
【００８６】
ケーブル束４に結束バンド１が巻装されて固定されているため、図７（ａ）に示すように、ケーブルセット１０が引線７による牽引等によって例えば符号Ｘに示す矢印方向に引っ張られると、各結束バンド１を介して金車２も引っ張られ、結果としてケーブルセット１０及び金車２が一体となって同方向に吊線３に沿って移動していく。このように、ケーブル束４に固定された結束バンド１のみによって、金車２とともにケーブルセット１０を移動させることができるため、上記図９に示される各金車を連結するための連結ロープ９５、あるいは上記図８（ｂ）に示されるような先頭の金車８７とケーブル束８８の先端（コネクタ９１）とを接続するロープ９２が不要となり、これらロープ費を節約できるとともに、これらロープを取り付ける手間が省ける、あるいはこれらロープを取り付けることによる例えばロープ同士が絡むといったことがなくなり、ひいては作業性が向上する。
【００８７】
金車２においては、本体部２０２にフック部２０３が固定された構造となっているため、金車２が、ローラ２０５によって吊線３に吊架されている場合、鉛直方向を軸としてフック部２０３が回転するといったことがなく、フック部２０３に結束バンド１の吊輪１０５、１０６が掛け易く、ひいては作業性が向上する。また、ローラ部２０１には２つのローラ２０５が備えられているため、ローラ部２０１が吊線３に沿って（の上を）走行する際、当該吊線３から脱輪する可能性が低くなり、走行安定性が向上する。
【００８８】
以上のとおり、本発明のケーブル架設工法によれば、電柱（例えば電柱Ｐ１、Ｐ３）間に吊線３が架設され、長手方向に所定間隔を置いて配置される掛止部付の結束バンド１によって複数本のケーブルが一束化された一束化ケーブルと、吊線３に沿って移動自在とす
るローラ部２０１と結束バンド１の掛止部１０４と係合するフック部２０３とを備える金車２とが準備され、一束化ケーブルを吊線３に沿って一方の電柱Ｐ１から他方の電柱Ｐ３へ延線する際に、一方の電柱Ｐ１において、金車２のフック部２０３に結束バンド１の掛止部１０４が掛止されるとともに、吊線３に金車２のローラ部２０１が吊り下げられつつ、一束化ケーブルが延線される。このように、複数本のケーブルを金車内に収める（図１０参照）といった作業を行うことなく、ケーブルが一束化された状態で金車２のフック部２０３に結束バンド１の掛止部１０４を掛止し、かつ当該金車２のローラ部２０１を吊線３に吊り下げつつ延線することができるため、ケーブル架設時の作業効率（作業性）を向上することができる。また、引線７等により一束化ケーブルが引っ張られて移動すると、金車２もこの一束化ケーブルの移動に伴って移動する構成であるため、各金車間を連結する連結ロープ９５（図９参照）等が不要となり、当該連結ロープ９５等を接続するなどの手間が省けることによる作業効率の向上、ひいてはコスト低減を図ることができる。
【００８９】
また、結束バンド１を複数本のケーブルからなるケーブル束４に巻き付ける際、結束バンド１の一端側をケーブル間に挟み込んだ状態で、当該結束バンド１をケーブル束４に巻き付けて締着するため、結束バンド１をケーブル束に対して確実に固定することができる。
【００９０】
また、ケーブル架設時において、複数の結束バンド１が取り付けられた状態でドラム６に巻き付けられた一束化ケーブルが当該ドラム６から繰り出されつつ、金車２のフック部２０３に結束バンド１の掛止部１０４が掛止される。このように、結束バンド１が取り付けられた状態で一束化ケーブルをドラム６に巻き付けておき、ケーブル架設時において、一束化ケーブルをそのままドラム６から繰り出して使用することで、作業現場でケーブルに結束バンド１を取り付けて一束化ケーブルにする手間を省くことができ、あるいは、ケーブル撤去時において、ケーブル束から結束バンド１を取り外す手間を省くことができ、ひいては作業効率を向上することができる。
【００９１】
また、結束バンド１の掛止部１０４には、ケーブル束４に巻装された状態において相対的な位置となる少なくとも２つの吊輪１０５、１０６（複数の吊輪）が備えられているため、結束バンド１（ケーブル束４）の金車２への掛け易さ、すなわち、取付作業性を向上することができる。
【００９２】
また、上記吊輪１０５、１０６は、それぞれ吊架時における吊架長さが異なり、一束化ケーブルを電柱間に延線する場合の当該一束化ケーブルの所要地上高に応じ、結束バンド１毎に、これら２つの吊輪１０５、１０６のうちのいずれかが選択され、当該選択された吊輪が金車２のフック部２０３に掛止される。このように、長さの異なる吊輪を選択的に使用することができ、必要に応じて一束化ケーブルの地上高を変えることができることから、当該一束化ケーブルの所要地上高を適宜確保できるようになる。
【００９３】
また、本発明の結束バンド１によれば、当該結束バンド１には、ケーブル束４に巻き付けられる帯状の主巻付部１０１と、ケーブル束４に巻き付けられた状態の主巻付部１０１に対してさらに巻き付ける（上巻き付けする）べく当該主巻付部１０１の一端側に設けられた帯状の補助巻付部１０２と、主巻付部１０１及び補助巻付部１０２をケーブル束４に巻き付けた後、当該巻装状態を脱着可能に保持する係合部１０３と、主巻付部１０１に設けられ、主巻付部１０１がケーブル束４に巻装された状態において吊架可能とする掛止部１０４とが備えられている。このように、主巻付部１０１、補助巻付部１０２によってケーブル束４に巻き付け、係合部１０３によって保持する構成であるため、ケーブル束４に対する結束バンド１の取り付け作業を容易に行うことができ、また、ケーブル束４に取り付けられた結束バンド１の掛止部１０４を単に掛止することにより当該ケーブル束４を吊架することができるため、ケーブル架設における作業効率を向上することができる。
【００９４】
また、巻装状態の主巻付部１０１に対して補助巻付部１０２をさらに巻き付けて取り付ける構成であるため、結束バンド１をケーブル束４に確実に固定することができる。さらに、係合部１０３によって脱着可能に保持される構成であるため、別のケーブル束４に対して当該結束バンド１を使い回しすることができ、ケーブル架設に要する付属品のコスト低減を図ることができる。
【００９５】
また、主巻付部１０１の、ケーブル束４への巻き付け始端が、ケーブル間に挟み込まれる巻付始端部とされているため、すなわち、主巻付部１０１がケーブル束４に巻き付けられる際に当該主巻付部１０１の巻付始端部がケーブル間に挟み込まれるため、結束バンド１をケーブル束４に対してより確実に固定することができる。
【００９６】
また、補助巻付部１０２における２つの帯状体が、巻装状態の主巻付部１０１における両端側の外周面に沿って巻き付けられるため、結束バンド１が、巻き付け方向に回転したりケーブル束４の長手方向に移動したりするといったことを防止でき、よって、結束バンド１を、ケーブル束４により確実に固定することができる。
【００９７】
また、掛止部１０４の吊輪１０５、１０６は、変形自在であり、かつ保形性を有するものであるため、結束バンド１をケーブル束４に取り付けた状態でドラム６に巻き付けることが容易となる（結束バンド１が取り付けられたケーブル束４のドラム６による巻取性が向上する）。
【００９８】
また、係合部１０３は、雌雄の面ファスナーからなるため、主巻付部１０１及び補助巻付部１０２の巻装時の脱着を容易に行うことができる。
【００９９】
また、本発明の金車２によれば、当該金車２には、ケーブル架設を行う場合の吊線３に沿って移動するべく２つのローラ２０５が直列にローラフレーム２０７に回転自在に軸支されてなるローラ部２０１と、このローラ部２０１に揺動可能に軸支され、当該ローラ部２０１の一側面（図４の符号Ｓ１に示す）において上下方向に延在する本体部２０２と、一端が本体部２０２の下部に固定され、ローラ部２０１側に延在する略Ｕ字状のフック部２０３と、フック部２０３の開口部２２２に設けられ、基端がフック部２０３における本体部２０２側の位置に揺動可能に軸支されることにより開口部２２２の内側に向けて開閉可能に構成され、かつバネ体２３２等による付勢力によって閉じた状態となる開閉部２０４とが備えられている。
【０１００】
このように、本体部２０２がローラ部２０１に揺動可能に設けられていること、及びローラ部２０１が直列に２つのローラ２０５を備えることにより、金車２が吊線３に沿って安定して移動することができ、また、フック部２０３が本体部２０２に固定されているため、当該フック部２０３への吊輪１０５（又は１０６）の掛止を容易に行うことができ、ひいてはケーブル架設における作業効率を向上することができる。さらに、フック部２０３に開閉部２０４が設けられているため、フック部２０３に掛止された吊輪１０５（又は１０６）のフック外れを確実に防止することができるとともに、吊線３からローラ２０５（ローラ部２０１）が外れた（脱輪した）場合、この金車２は、フック部２０３から吊輪１０５（又は１０６）が外れることなく、結束バンド１（ケーブルセット１０）により吊架された状態となるため、金車２の地上等への落下を防止することができる。
【０１０１】
また、開閉部２０４が付勢力によって閉じた状態となっている場合に、フック部２０３の他端部（の内側の部分；内壁部）と開閉部２０４（の背部２３３）とによって谷部２４１が形成されているため、フック部２０３に吊輪１０５（又は１０６）を掛止する際に当該谷部２４１に吊輪１０５（又は１０６）を置く（載置する）と、掛止するもの、すなわち、吊輪を含むケーブルセット１０の自重によって開閉部２０４が（開閉部２０４を閉じようとする付勢力に打ち勝って）自動的に開くとともに、吊輪１０５（又は１０６）がフック部２０３に嵌り込んで（落ち込んで）掛止されるといった掛止方法をとることができるため、ひいてはケーブル架設における作業効率を向上することができる。
【０１０２】
また、本発明のケーブルセット１０によれば、当該ケーブルセット１０は、ケーブル架設を行う場合の吊線３に取り付けられた金車２のフック部２０３に掛止するための掛止部１０４を備えた複数の結束バンド１が、複数本のケーブルからなるケーブル束４に長手方向に所定間隔で取り付けられており、結束バンド１によって巻き付けられてケーブル束４が締着されて一束化されたものであるため、このケーブルセット１０を用いれば、例えばケーブル架設現場において、金車２に吊架するためのケーブルの準備作業が簡略化され、また、吊線３にケーブルを吊架する際、金車２に対して結束バンド１の掛止部１０４を単に掛止することにより当該ケーブルセット１０を吊架することができるため、ひいてはケーブル架設における作業効率を向上することができる。また、このケーブルセット１０を別のケーブル架設工事においても使い回しすることができ、ケーブル架設に要する付属部品のコスト低減を図ることができる。
【０１０３】
また、ケーブルセット１０は、結束バンド１の巻き付け始端（巻付始端部）がケーブル間に挟み込まれた状態で、当該結束バンド１がケーブル束４上に巻き付けられることにより締着一束化されているため、ケーブル束４に対して結束バンド１をより確実に固定することができる。
【０１０４】
また、ケーブルセット１０（ケーブル束４における各ケーブル）は、その両端にコネクタ５が取り付けられているため、このコネクタ５を用いることにより線路接続が容易に行える。
【０１０５】
また、ケーブルセット１０は、結束バンド１によって締着一束化されたケーブル束４がドラム６に巻き付けられてなるものであるため、（３本の）ケーブルを巻き付けておくためのドラムが１つで済み、当該ケーブルセット１０の運搬が容易に行え、かつドラムからのケーブルセット１０の繰り出し作業が容易に行えるようになる。なお、本発明は以下の態様をとることができる。
【０１０６】
（Ａ）図１（ｃ）に示すように、ケーブル束４を引線７によって牽引することにより電柱間を移動させて延線する構成ではなく（引線７を用いずに）、ケーブル束４を電柱Ｐ１側から押し出すことによってＰ３側に移動させて延線する構成であってもよい。
【０１０７】
（Ｂ）ケーブル架設を行う際に、必ずしもドラム６に巻き付けられた状態のケーブルセット１０を準備せずともよく、ドラム６に巻き付けられていない、例えば折り畳まれた状態のケーブルセット１０を準備してもよい。
【０１０８】
（Ｃ）上記実施形態においては、補助巻付部１０２は、主巻付部１０１における一端側の辺に対する両端側の位置に設けられた２つの帯状体からなるものであるが、これら２つの帯状体における主巻付部１０１側と反対側の端部（端部近傍）が、例えば補助巻付部１０２と同様の帯状体によって互いに連結された構造（補助巻付部１０２が略コ字状）となっていてもよい。これにより、補助巻付部１０２を巻装状体の主巻付部１０１に巻き付ける際に、２つの帯状体を（別々に巻き付けるのではなく）同時に巻き付けることができるようになり、作業効率が向上する。
【０１０９】
（Ｄ）結束バンド１の吊輪は、紐体からなるものでなくともよく、例えばプラスチック材やゴム材等からなるリング状（真円や楕円等の円形状、あるいは三角形や四角形といった多角形形状）のものであってもよい。この場合、吊架時における吊架長さ（例えばリングの直径）が異なっていてもよい。
【０１１０】
（Ｅ）結束バンド１（の各部）は、ケーブル束４に巻き付ける際にケーブルを傷付けることなく、また、ケーブル束４に取り付けたままの状態で容易にドラム６に巻き付けることができる素材であれば、織布に限らず、いずれの素材であってもよい。
【０１１１】
（Ｆ）結束バンド１における吊輪の個数は２つでなくともよく、例えば１つあるいは、３つ以上であってもよい。なお、吊輪が３つ以上となる場合、結束バンド１がケーブル束４に巻装された状態において相対的な位置、すなわち、例えば吊輪が３つの場合、当該３つの吊輪が互いに中心角１２０度間隔で離れた位置となるように結束バンド１（掛止部１０４）に設けられていてもよい。この場合、各吊輪の長さについては、それぞれが異なる長さであってもよいし、同じ長さであってもよい。
【０１１２】
（Ｇ）上記実施形態では、例えば図１（ｄ）に示すように、電柱間に１つのケーブルセット１０を用いて延線しているが、電柱間の距離が長く（延線する電柱の数が多く）、１つのケーブルセット１０だけでは延線できない場合には、複数のケーブルセット１０を準備し、これらケーブルセット１０を（両端にあるコネクタ５によって）互いに接続することによって延長しつつ当該電柱間に延線する構成であってもよい。
【図面の簡単な説明】
【０１１３】
【図１】本発明に係るケーブル架設工法の一例を示す概略図であり、（ａ）は、電柱間における吊線の架設に関する説明図、（ｂ）は、ケーブルセット及び金車等の準備に関する説明図、（ｃ）は、電柱間におけるケーブルセットの延線に関する説明図、（ｄ）は、電柱間に掛け渡されたケーブルセットに関する説明図である。
【図２】本発明に係る結束バンドの一例を示す図であり、（ａ）は、結束バンドの構成を示す表面側平面図、（ｂ）は、同・裏面側平面図である。
【図３】図２に示す結束バンドの側面断面図である。
【図４】本発明に係る金車の一例であり、金車の構成を示す一部断面側面図である。
【図５】図４に示す金車の図であり、（ａ）は、同・一部断面上面図、（ｂ）は、同・一部断面正面図である。
【図６】結束バンドのケーブル束への巻き付け状態の一例を概略的に示す図であり、（ａ）は、同・正面図、（ｂ）は同・側面断面図である。
【図７】金車によって結束バンドが吊架された状態の一例を示す図であり、（ａ）は、同・正面図、（ｂ）は、同・側面断面図である。
【図８】従来のケーブル架設工法を示す概略図であり、（ａ）は、電柱間における吊線の架設に関する説明図、（ｂ）は、ケーブル及び金車等の準備に関する説明図、（ｃ）は、電柱間におけるケーブルの延線に関する説明図、（ｄ）は、電柱間に掛け渡されたケーブルに関する説明図である。
【図９】従来のケーブル架設工法に関する説明図である。
【図１０】従来のケーブル架設工法に関する説明図である。
【符号の説明】
【０１１４】
１  結束バンド
１０１  主巻付部
１０２  補助巻付部
１０３  係合部
１０４  掛止部
１０５、１０６  吊輪
１０７、１０８  雄面ファスナー
１０９、１１０  雌面ファスナー
１１１  補強部
２  金車
２０１  ローラ部
２０２  本体部
２０３  フック部
２０４  開閉部
２０５  ローラ
２０６、２１１、２３１  軸
２０７  ローラフレーム（ローラ支持体）
２２２  開口部
２２４  接点
２３２  バネ体
２４１  谷部
３  吊線
４  ケーブル束
５  コネクタ
６  ドラム
７  引線
１０  ケーブルセット
２１  掴線装置
２２  張線装置
２３  サポート金具
２４  導入ローラ
６１〜６３  ケーブル
Ｃ１  中央部
Ｅ１、Ｅ２  端部
Ｐ１〜Ｐ３  電柱
【図１】
2005184935.tif 000003
【図２】
2005184935.tif 000004
【図３】
2005184935.tif 000005
【図４】
2005184935.tif 000006
【図５】
2005184935.tif 000007
【図６】
2005184935.tif 000008
【図７】
2005184935.tif 000009
【図８】
2005184935.tif 000010
【図９】
2005184935.tif 000011
【図１０】
2005184935.tif 000012